(57)【特許請求の範囲】
【請求項１】
コア、クラッドが石英系ガラスで、コア、クラッドの間の比屈折率差が０．５〜０．６％、コア径が８〜１２μｍである２モード光ファイバの先端部にコア、クラッドが石英系ガラスであるシングルモード光ファイバを接続し、前記２モード光ファイバと前記シングルモード光ファイバを、前記２モード光ファイバと前記シングルモード光ファイバの接続部を含みフェルール内に配置し、前記フェルール内の前記２モード光ファイバと前記シングルモード光ファイバのうち前記シングルモード光ファイバを前記フェルールの先端部分に配置し、かつ前記シングルモード光ファイバの長さを１ｍｍ以上としたことを特徴とする高屈曲性光ファイバ。
【請求項２】
前記シングルモード光ファイバのＬＰ１１モードのカットオフ波長が１．３μｍ以下であることを特徴とする請求項１記載の高屈曲性光ファイバ。
【発明の詳細な説明】
【技術分野】
【０００１】
本発明は、機器内あるいは家庭内等における光配線に適用可能な許容曲げ半径の極めて小さい高屈曲性光ファイバに関する。
【背景技術】
【０００２】
近年、ＦＴＴＨ（Fiber To The Home）の導入が始まりインターネットに代表される情報通信ネットワークがオフィスの範囲を超え各家庭まで急速に普及してきている。このような状況において情報通信ネットワークをますます充実させる必要性が高まり、光ファイバの特性要求も高いものになってきている。
【０００３】
情報通信ネットワークを構成する光通信基幹回線用光ファイバとしては通常シングルモード光ファイバが用いられている。この光通信基幹回線に用いられるシングルモード光ファイバは基底モードであるＬＰ０１モードのみを伝送する光ファイバであり、例えば９．５μｍのモードフィールド径（Mode Field Diameter、以下、「ＭＦＤ」と称す）を有している場合、曲げ径は３０ｍｍ（曲げ半径１５ｍｍ）程度である。
【０００４】
上記のように近年の情報通信ネットワーク普及に伴い光ファイバがオフィスや家庭内にまで導入されるようになったことから、オフィスや家庭に設置されている機器内での光配線が行われるようになってきている。このような機器内での光配線においては、光ファイバを狭い場所にいろいろな方向に曲げながら配線する必要があり、許容曲げ半径の小さい光ファイバが望まれてきている。
【０００５】
従来から許容曲げ半径の小さい光ファイバとしてはコアとクラッドの間の比屈折率差Δを大きくした高Δシングルモード光ファイバが用いられている。この高Δシングルモード光ファイバは通常の光通信基幹回線に用いられるシングルモード光ファイバの比屈折率差が０．３％程度であるのに対して例えば０．７％程度と高く、この場合最大許容曲げ径は１５ｍｍ（許容曲げ半径７．５ｍｍ）程度まで小さくできる。
【０００６】
しかし、高Δシングルモード光ファイバは比屈折率差を大きくすることにより図５に示すようにコア径が小さくなるという現象が起きる。図５は光通信基幹回線に用いられるシングルモード光ファイバと高Δシングルモード光ファイバの屈折率分布を表したもので、図５（ａ）が光通信基幹回線に用いられるシングルモード光ファイバの屈折率分布、図５（ｂ）が高Δシングルモード光ファイバの屈折率分布である。ここで、光通信基幹回線に用いられるシングルモード光ファイバの比屈折率差Δ１と高Δシングルモード光ファイバの比屈折率差Δ２はΔ１＜Δ２となるが、この時光通信基幹回線に用いられるシングルモード光ファイバのコア径ａ１と高Δシングルモード光ファイバのコア径ａ２はａ１＞ａ２という関係になる。
【０００７】
前述の比屈折率差Δが０．７％程度の高Δシングルモード光ファイバの場合、コア径は６μｍ程度であるが、ＭＦＤは波長１．５５μｍで６〜７μｍまで小さくなってしまう。従って、高Δシングルモード光ファイバと光通信基幹回線に用いられるシングルモード光ファイバを接続する場合にはＭＦＤの不整合から大きな接続損失が発生するという難点があった。
【０００８】
このような難点を解消するために、高Δシングルモード光ファイバと光通信基幹回線に用いられるシングルモード光ファイバの接続に際してＭＦＤの不整合を調整して接続損失を低減させる工夫がなされている。その一つとして、ＭＦＤが互いに異なる光ファイバの間に中間のＭＦＤ、あるいは双方のＭＦＤと一致または近似するＭＦＤを有する接続部材を用いる技術が開示されている（例えば、特許文献１参照）。
【０００９】
また、異なるＭＦＤを有する接続すべき光ファイバのそれぞれのＭＦＤに合わせてフェルール内にＭＦＤが拡径または縮径された短尺光ファイバを収容固定した技術も開示されている（例えば、特許文献２参照）。
【００１０】
その他に、上記特許文献２においてはＭＦＤを拡径する方法について記載されていないが、コア径の小さい高Δ光ファイバのコアのドーパントを加熱してクラッドに拡散させ、コア径、即ちＭＦＤを拡大させるＴＥＣ（Thermally-diffused Expanded Core）方式を用いてＭＦＤの大きい光ファイバと接続してフェルール内に配置したＭＦＤ変換（スポットサイズ変換）用光ファイバ部品も開発されている（例えば、特許文献３参照）。
【００１１】
一方、上記のような高Δシングルモード光ファイバに比較してさらに曲げに対して強くすることができる光ファイバとしてホーリー光ファイバが知られている。
【００１２】
このホーリー光ファイバは中実部材若しくは中空部材をコアとしてその周囲にクラッドとして中空のエアホールと呼ばれる空孔を多数設けた構造を有しているが、エアホールの数や大きさ、その配置等を設計することにより、例えば任意の波長で単一モードを実現できる、コアとクラッドとの間の大きな屈折率差から開口数を大きくでき光源との接続を効率化できる等の特性の他にコアとクラッドとの間の屈折率差を大きくできるので、例えば曲げ半径が５ｍｍの時に曲げによる損失を０．１ｄＢ以下にすることができるなど曲げ損失に強い光ファイバを実現することができる。また、ＭＦＤを光通信基幹回線に用いられるシングルモード光ファイバと同等のＭＦＤに調整することも可能である。
【００１３】
そして、前述したような特性を有するホーリー光ファイバの先端にシングルモード光ファイバを接続して双方の光ファイバをともにフェルールに装着した技術も開示されている（例えば、特許文献４参照）。
【００１４】
【特許文献１】特開２００４−２５２３６８号公報
【特許文献２】特開平７−４３５５５２号公報
【特許文献３】特開２００４−２０５６５４号公報
【特許文献４】特開２００５−２４８４７２号公報
【発明の開示】
【発明が解決しようとする課題】
【００１５】
上記したような従来の技術において、特許文献１に記載された接続部材を用いる方法では、完全にＭＦＤを一致させることができず、接続損失を十分に低減することは困難であった。また、特許文献２や特許文献３に記載されたＭＦＤを拡径するなどして変化させる技術では、ＭＦＤの異なる光ファイバ同士を接続する前あるいは接続語に例えばＴＥＣ方式によりコアのドーパントをクラッドに拡散させて目的に適う最適なＭＦＤを得るための条件の設定が難しく、またＭＦＤの異なる光ファイバ同士の接続、ＭＦＤの拡径という２段階の工程を踏まなければならず作業が煩雑であった。
【００１６】
それに対してホーリー光ファイバを用いた特許文献４に記載の技術では、高Δシングルモード光ファイバよりもさらに曲げ損失を低減でき、しかも光通信基幹回線用のシングルモード光ファイバと同等のＭＦＤを有する光ファイバを作成できるという利点を有しているが、光通信基幹回線用のシングルモード光ファイバとの間の融着接続やコネクタに収納する場合の端面処理などで未解決の問題を有しているという欠点があった。
【００１７】
本発明は以上の難点を解消するためになされたもので、ホーリー光ファイバと同等の曲げ特性を有し、また光通信基幹回線に用いられるシングルモード光ファイバと同等のＭＦＤを有する光ファイバであって、光通信基幹回線用のシングルモード光ファイバとの接続が可能で、かつ機器内等の狭い場所において小さな曲げ半径を与えて光配線しても曲げ損失が極めて低い高屈曲性の光ファイバを提供することを目的とする。
【課題を解決するための手段】
【００１８】
この目的を達成するために本発明の高屈曲性光ファイバの第１の態様は、コア、クラッドが石英系ガラスで、コア、クラッドの間の比屈折率差が０．５〜０．６％、コア径が８〜１２μｍである２モード光ファイバの先端部にコア、クラッドが石英系ガラスであるシングルモード光ファイバを接続し、前記２モード光ファイバと前記シングルモード光ファイバを、前記２モード光ファイバと前記シングルモード光ファイバの接続部を含みフェルール内に配置し、前記フェルール内の前記２モード光ファイバと前記シングルモード光ファイバのうち前記シングルモード光ファイバを前記フェルールの先端部分に配置し、かつ前記シングルモード光ファイバの長さを１ｍｍ以上としたことを特徴とする。
【００１９】
また本発明の高屈曲性光ファイバの第２の態様は、第１の態様において、シングルモード光ファイバのＬＰ１１モードのカットオフ波長が１．３μｍ以下であることを特徴とする。
【発明の効果】
【００２０】
本発明の高屈曲性光ファイバの第１の態様では、２モード光ファイバの先端部に光通信基幹回線に用いられる光ファイバと同等のシングルモード光ファイバを接続したので、曲げに極めて強くかつシングルモード伝送が可能な高屈曲性光ファイバを実現することができる。
【００２１】
本発明の高屈曲性光ファイバの第２の態様では、高屈曲性光ファイバをフェルール内に配置したので、光通信基幹回線用のシングルモード光ファイバとのコネクタ接続が可能となる。
【００２２】
本発明の高屈曲性光ファイバの第３の態様では、高屈曲性光ファイバのシングルモード光ファイバをフェルールの先端部に配置したので、光通信基幹回線用のシングルモード光ファイバとのコネクタ接続において光通信基幹回線用のシングルモード光ファイバ同士のコネクタ接続と同等の接続損失で接続することができる。
【００２３】
本発明の高屈曲性光ファイバの第４の態様では、高屈曲性光ファイバのシングルモード光ファイバの長さを１ｍｍ以上としたので、２モード光ファイバとシングルモード光ファイバの接続部におけるモードフィールド径の不安定さが解消する。
【００２４】
本発明の高屈曲性光ファイバの第５の態様では、高屈曲性光ファイバのシングルモード光ファイバのＬＰ１１モードのカットオフ波長が１．３μｍ以下であるので、高屈曲性光ファイバを通常の光通信基幹回線におけるシングルモード伝送に適用できる。
【００２５】
本発明の高屈曲性光ファイバの第６の態様では、高屈曲性光ファイバの２モード光ファイバのコア、クラッドの間の比屈折率差を０．５〜０．６％としたので、先端部のシングルモード光ファイバとの間のモードフィールド径の不整合がなくなる。
【００２６】
本発明の高屈曲性光ファイバの第７の態様では、高屈曲性光ファイバの２モード光ファイバのコア、クラッドの間の比屈折率差を０．５２〜０．５６％としたので、先端部のシングルモード光ファイバとの間のモードフィールド径の整合性がより高くなる。
【００２７】
本発明の高屈曲性光ファイバの第８の態様では、高屈曲性光ファイバの２モード光ファイバのコア径を８〜１２μｍとしたので、先端部のシングルモード光ファイバとの間のモードフィールド径の不整合がなくなる。
【００２８】
本発明の高屈曲性光ファイバの第９の態様では、高屈曲性光ファイバの２モード光ファイバのコア径を９〜１１μｍとしたので、先端部のシングルモード光ファイバとの間のモードフィールド径の整合性がより高くなる。
【００２９】
本発明の高屈曲性光ファイバの第１０の態様では、高屈曲性光ファイバの２モード光ファイバの屈折率分布をステップインデックス型としたので、先端部のシングルモード光ファイバの屈折率分布と同一形状となり、モードフィールド径の不整合が回避される。
【００３０】
本発明の高屈曲性光ファイバの第１１の態様では、高屈曲性光ファイバの２モード光ファイバのＬＰ０１モードのモードフィールド径を先端部のシングルモード光ファイバのモードフィールド径と同等であるようにしたので、モードフィールド径の整合性が高くなる。
【００３１】
本発明の高屈曲性光ファイバの第１２の態様では、高屈曲性光ファイバの２モード光ファイバの曲げ損失が曲げ半径５ｍｍにおいてＬＰ１１モードに対して１０ｄＢ以上、ＬＰ０１モードに対して０．１ｄＢ以下としたので、ＬＰ１１モードを確実に遮断し、低損失でシングルモード伝送ができる。
【００３２】
本発明の高屈曲性光ファイバの第１３の態様では、高屈曲性光ファイバの２モード光ファイバのカットオフ波長が使用波長の１．１４倍以上としたので、ＬＰ１１モードの影響を受けることなくシングルモード伝搬が維持できる。
【００３３】
本発明の高屈曲性光ファイバの第１４の態様では、高屈曲性光ファイバのクラッド径を３０〜３００μｍとしたので、信号光がクラッドから外部に漏洩することなく、また伝送特性上の許容曲げ径以下に曲げた時にガラスに強い応力が加わっても機械的な破断が生ずる虞がない。
【００３４】
本発明の高屈曲性光ファイバの第１５の態様では、高屈曲性光ファイバの２モード光ファイバとシングルモード光ファイバのコア、クラッドをともに石英系ガラスとしたので、光通信基幹回線用のシングルモード光ファイバとの接続が容易にできる。
【００３５】
本発明の高屈曲性光ファイバの第１６の態様では、高屈曲性光ファイバの２モード光ファイバとシングルモード光ファイバの接続を融着接続としたので、接続損失を低くすることができる。
【００３６】
本発明の高屈曲性光ファイバの第１７の態様では、高屈曲性光ファイバの２モード光ファイバとシングルモード光ファイバの融着接続部の接続損失が０．０５ｄＢ以下であるので、光通信基幹回線のシングルモード伝送に対する接続部の影響を極めて低くすることができる。
【００３７】
本発明の高屈曲性光ファイバの第１８の態様では、高屈曲性光ファイバを挿入したフェルールをＳＣ型、ＦＣ型、ＭＵ型、ＬＣ型のいずれかの種類のコネクタ内に配置したので、光通信基幹回線用のシングルモード光ファイバとの接続において様々な種類のコネクタ接続を可能とする。
【００３８】
本発明の高屈曲性光ファイバの第１９の態様では、高屈曲性光ファイバを挿入したフェルールを配置したコネクタの端面をＰＣ研磨、ＡＤＰＣ研磨、ＵＰＣ研磨、平面研磨のいずれかの種類の研磨により処理するので、コネクタ接続の接続損失を低減でき、光通信基幹回線用のシングルモード光ファイバと効率よく接続することが可能となる。
【発明を実施するための最良の形態】
【００３９】
以下、本発明の高屈曲性光ファイバについてその好ましい実施の形態を図面を参照して説明する。
【００４０】
図１の縦断面図に示す通り、本発明の高屈曲性光ファイバ１は、２モード光ファイバ２の先端部にシングルモード光ファイバ（以下、ＳＭＦと称す）３が融着接続されている。この高屈曲性光ファイバ１は通常フェルール５の内部に２モード光ファイバ２とＳＭＦ３との接続部４を含みＳＭＦ３がフェルール５の先端部分に位置するように配置されて使用される。機器内等に光配線する場合には２モード光ファイバ２を例えば図のように曲げ半径ｄとして屈曲させて使用する。
【００４１】
このようにＳＭＦ３をフェルールの先端部分に配置することにより光通信基幹回線用のシングルモード光ファイバとの間の接続に際して接続損失が増大することがなく、効率的な接続を実現することができる。
【００４２】
なお、２モード光ファイバとは、基底モードであるＬＰ０１モードの他に高次モードのうちのＬＰ１１モードの２モードのみを伝送できるように設計された光ファイバである。
【００４３】
ここで、ＳＭＦ３は光通信基幹回線用のシングルモード光ファイバと同種の光ファイバであり、コア、クラッドとも石英系ガラスで構成されており、例えば屈折率分布がステップインデックス型、ＭＦＤが９．３±０．７μｍ、コア、クラッドの間の比屈折率差が０．３％程度のものが使用される。また、ＳＭＦ３のＬＰ１１モードのカットオフ波長は１．３μｍ以下となるように設計するとよい。このようにすると、例えば光通信基幹回線に用いられる１．３１μｍや１．５５μｍの波長帯でシングルモード光ファイバとして使用できる。
【００４４】
なお、２モード光ファイバ２もＳＭＦ３もクラッド径は３０〜３００μｍであることが好ましい。クラッド径が３０μｍ未満では信号光がクラッドから外部に漏洩してしまう虞があるためであり、クラッド径が３００μｍを超えると可撓性が悪くなり、伝送特性上の許容曲げ径以下に曲げた時にガラスに強い応力が加わり、機械的な破断が生ずる虞が出てくるためである。
【００４５】
また、フェルールの先端部分に配置するＳＭＦ３の長さは１ｍｍ以上であることが望ましい。この理由は、ＳＭＦ３の長さを１ｍｍ未満にすると２モード光ファイバとの接続部においてＭＦＤが安定しないためにその影響が残り、接続損失が大きくなる虞があるためである。図２にＳＭＦの長さと接続損失の関係を示す。図２から明らかなように長さが１ｍｍ以上で安定した接続損失となることがわかる。
【００４６】
さらに、２モード光ファイバ２のコア、クラッドの間の比屈折率差は０．５〜０．６％であることが好ましい。これは、２モード光ファイバ２の先端部に接続するＳＭＦ３との間のＬＰ０１モードのＭＦＤの整合を考慮したものであり、比屈折率差が０．５％未満でも０．６％を超えても２モード光ファイバ２とＳＭＦ３のＬＰ０１モードのＭＦＤの不整合が大きくなり、接続損失が増大する虞があるためである。特にこの比屈折率差は０．５２〜０．５６％であることがより好ましい。このようにすると２モード光ファイバ２と先端部に接続するＳＭＦ３との間のＬＰ０１モードのＭＦＤの整合性がより高くなる。
【００４７】
また、２モード光ファイバ２のコア径は８〜１２μｍであることが好ましい。これも２モード光ファイバ２の先端部に接続するＳＭＦ３との間のＬＰ０１モードのＭＦＤの不整合による接続損失が増大しないようにするためであり、コア径が８μｍ未満であっても１２μｍを超えても接続損失が増大する虞がある。特にこのコア径は９〜１１μｍであることがより好ましい。これはやはり２モード光ファイバ２と先端部に接続するＳＭＦ３との間のＬＰ０１モードのＭＦＤの整合性がより高くなるからである。
【００４８】
上記のようにして２モード光ファイバ２とＳＭＦ３の接続部の接続損失が増大しないように比屈折率差やコア径を調整することが好ましいが、具体的には接続部の接続損失は０．０５ｄＢ以下であることが望ましい。接続損失が０．０５ｄＢを超えていると２モード光ファイバ２とＳＭＦ３との間に軸ずれが生じている可能性があり、光通信基幹回線への伝送特性に対する影響が大きくなり、システム全体の伝送品質が低下する虞が出てくるからである。
【００４９】
さらに、２モード光ファイバ２の曲げ損失は、例えば曲げ半径５ｍｍの時にＬＰ１１モードに対しては１０ｄＢ以上であり、ＬＰ０１モードに対しては０．１ｄＢ以下であることが望ましい。これは、曲げ損失が１０ｄＢ未満であると、ＬＰ１１モードの影響が大きく、シングルモード伝搬が維持できなくなるためである。即ち、２モード光ファイバ２に極めて小さな曲げ半径を与えた時にＬＰ１１モードは損失が大きくなるため光ファイバ中を透過できなくするようにし、高次モードを遮断して基底モードのＬＰ０１モードについてのみ透過できるようにするためである。
【００５０】
また、２モード光ファイバ２の曲げ損失がＬＰ０１モードに対しては０．１ｄＢ以下であることが好ましい理由は、本発明の高屈曲性光ファイバを配置したフェルールをコネクタに挿入して光通信基幹回線用のＳＭＦとコネクタ接続した場合にはコネクタ同士の接続損失が０．２ｄＢ程度となるが、２モード光ファイバ２の曲げ損失が０．１ｄＢを超えると、合わせて損失が０．３ｄＢを超えることとなり、システム全体の伝送品質が低下する虞が出てくるからである。
【００５１】
さらに、２モード光ファイバ２のカットオフ波長は使用波長の１．１４倍以上であることが好ましい。この理由は、例えば波長１．５５μｍの時に曲げ半径５ｍｍでＬＰ１１モードの曲げ損失が１０ｄＢ以上になるようにすることから設定されるもので、カットオフ波長が１．１４倍未満であるとＬＰ１１モードの影響が大きく、シングルモード伝搬が維持できなくなる虞が出てくるからである。本発明の高屈曲性光ファイバの使用波長帯を考慮すると、例えば使用波長が１．３１μｍの場合でも１．５５μｍと同様の考え方で２モード光ファイバ２のカットオフ波長は使用波長の１．１４倍以上とするとよい。
【００５２】
上記したような高屈曲性光ファイバを配置したフェルールは通常コネクタに挿入されて使用されるが、このコネクタとしては例えば、ＳＣ型、ＦＣ型、ＭＵ型、ＬＣ型等特に限定することなく使用可能である。光通信基幹回線用に使用され得るコネクタのうち最も適したものを選択すればよい。また、コネクタの先端面は通常研磨処理が施されるが、この端面処理もＰＣ研磨、ＡＤＰＣ研磨、ＵＰＣ研磨、平面研磨等目的に最も適う研磨方法を選択するとよい。
【実施例】
【００５３】
上記実施の形態で述べた高屈曲性光ファイバの構造と特性について図３により説明する。図３は本発明の高屈曲性光ファイバのうちの２モード光ファイバについての構造と伝送特性を表したものである。この２モード光ファイバはコアが屈折率を上昇させるＧｅＯ２がドープされたＳｉＯ２からなり、クラッドはＳｉＯ２のみからなる石英系ガラスで構成されている。コア径は９．２μｍ、クラッド径は８０μｍである。コアとクラッドの間の比屈折率差Δは０．５％である。
【００５４】
このような２モード光ファイバの伝送特性は、波長１．３１μｍにおける伝送損失が０．３ｄＢ／ｋｍ、波長１．５５μｍにおける伝送損失が０．２５ｄＢ／ｋｍであった。また、曲げ損失は曲げ半径が５ｍｍの時に、波長１．５５μｍで０．０５ｄＢと極めて小さい値であり、ホーリー光ファイバと同等の優れた曲げ損失特性を示した。そして、この２モード光ファイバの先端部に接続したＳＭＦとの間の融着接続損失は０．０４ｄＢであった。なお、この時のＳＭＦのクラッド径は２モード光ファイバのクラッド径と同じ８０μｍである。
【００５５】
このように本発明の高屈曲性光ファイバに用いられる２モード光ファイバは、伝送損失、曲げ損失、接続損失とも極めて優れた伝送特性を有していることが明らかである。
【００５６】
次に図４はフェルール内に配置した本発明の高屈曲性光ファイバをコネクタに挿入した高屈曲性光ファイバ装着コネクタと光通信基幹回線用ＳＭＦ装着コネクタとをコネクタ接続した場合の接続損失を表したものである。なお、コネクタの種類はＳＣ型とＭＵ型を用いた。また、それぞれの光ファイバのクラッド径は８０μｍと１２５μｍの２種類を用いた。
【００５７】
図４から明らかなように、接続損失は０．２ｄＢ程度であり、コネクタの種類やクラッド径の違い等に拘わらず従来から用いられている光通信基幹回線用ＳＭＦ装着コネクタ同士の接続の際の接続損失と同等の値であった。従って、本発明の高屈曲性光ファイバは曲げ特性に極めて優れているとともに従来からの光通信基幹回線用ＳＭＦと接続しても特性の劣化を来すことなく情報通信ネットワークを形成するシステムに用いることができる。
【図面の簡単な説明】
【００５８】
【図１】本発明の高屈曲性光ファイバをフェルールに挿入した状態を表す縦断面図である。
【図２】本発明の高屈曲性光ファイバのＳＭＦの長さと接続損失との関係を表す図である。
【図３】本発明の高屈曲性光ファイバの２モード光ファイバの構造、伝送特性を表す図である。
【図４】本発明の高屈曲性光ファイバを装着したコネクタと光通信基幹回線用ＳＭＦを装着したコネクタとの接続損失を表す図である。
【図５】屈折率分布の例を表す図である。
【符号の説明】
【００５９】
１              高屈曲性光ファイバ
２              ２モード光ファイバ
３              シングルモード光ファイバ
４              接続部
５              フェルール
【図１】
0004690249.tif 000002
【図２】
0004690249.tif 000003
【図３】
0004690249.tif 000004
【図４】
0004690249.tif 000005
【図５】
0004690249.tif 000006